(57)【特許請求の範囲】
【請求項１】
周方向に交互に形成された複数のティースおよび複数のスロットを有する円環状のステータコアと、
前記ステータコアに対して相毎に電気的に少なくとも４巻きされるコイルとを備え、
前記コイルは、電気的に直列に接続された少なくとも４本の第１導線、第２導線、第３導線、および第４導線で構成され、
前記スロットの内部の外周寄りにて径方向に隣接する一対のスロット内位置には、同一相の前記第１導線および第２導線が位置するとともに、前記第１導線および第２導線は、周方向に隣接する一対のスロットを一単位として当該一単位毎にスロット内位置が入れ替わり、
前記スロットの内部の前記第１導線および第２導線に対して内周寄りに隣接しかつ径方向に隣接する一対のスロット内位置には、同一相の前記第３導線および第４導線が位置するとともに、前記第３導線および第４導線は、周方向に隣接する一対のスロットを一単位として当該一単位毎にスロット内位置が入れ替わり、
前記第１導線および第２導線にて構成される直列回路と、前記第３導線および第４導線にて構成される直列回路とに渡る渡り線は、最外周側のスロット内位置に位置した導線の終端部または始端部と、最内周側のスロット内位置に位置した導線の始端部または終端部との間に接続されるか、または前記スロットの内部の径方向の中寄りで隣接する一対の導線の終端部および始端部の間に接続される
ことを特徴とする回転電機。
【請求項２】
周方向に交互に形成された複数のティースおよび複数のスロットを有する円環状のステータコアと、
前記ステータコアに対して相毎に電気的に少なくとも４巻きされるコイルとを備え、
前記コイルは、電気的に直列に接続された少なくとも４本の第１導線、第２導線、第３導線、および第４導線で構成され、
前記スロットの内部には、同一相の前記第１導線、第２導線、第３導線、および第４導線が径方向に沿って位置し、
前記第１導線、第２導線、第３導線、および第４導線のうち、前記スロットの内部で互いに隣接する位置にある一対の導線では、電流が流れる順番の差が２以下である
ことを特徴とする回転電機。
【請求項３】
請求項１または請求項２に記載の回転電機において、
前記第１導線、第２導線、第３導線、および第４導線を互いに接続する同一相内での渡り線、相毎に設けられた前記コイルを互いに接続する相間での渡り線、および前記コイルの入力端に接続されるリード線は、前記ステータコアの軸線方向の一端側に集約されている
ことを特徴とする回転電機。
【発明の詳細な説明】
【技術分野】
【０００１】
本発明は、回転電機に関する。
【背景技術】
【０００２】
従来、回転電機のステータに対してコイルの巻線を波巻きすることが知られている（例えば、特許文献１参照）。
例えば、一般的な３相４ターンのシングルスター結線を実現するためには、３相分であるＵ相のコイル、Ｖ相のコイル、およびＷ相のコイルが用意され、それぞれのコイルの巻線がステータのステータコアに対して波巻きされる。各コイルの巻線は、直列に接続された４本の導線で構成され、各導線が１巻きずつ巻かれて合計４巻きを形成する。この結果、周方向に隣接する一対のスロット内には、同一相の導線が径方向に沿って４箇所のスロット内位置（レイヤー）で配置される。このようなスロット内位置は、スロット毎に周方向に・・・Ｕ相、Ｕ相、Ｖ相、Ｖ相、Ｗ相、Ｗ相、Ｕ相、Ｕ相・・・の順で繰り返される。
【０００３】
ところで、各コイルの巻線では、電流の入力端から出力端に至る間に電圧降下が生じている。このため、同一スロット内の４箇所のスロット内位置に配置された各導線は、それぞれ入力端からの長さが異なっていることから、同一スロット内の各導線での電圧降下状態としても、入力端に近い導線、すなわち最初に電流が流れる導線での電圧降下よりも、終端部に近い導線、すなわち後から電流が流れる導線での電圧降下の度合いが著しい。
【０００４】
従って、波巻きによって４巻きされている場合、１番目（入力端に近い側）に電流が流れる導線と、４番目（出力端に近い側）に電流が流れる導線とが同一のスロット内で隣接すると、互いの分担電圧（電位差）が大きくなってしまい、両者間での絶縁耐力に問題が生じる可能性がある。
【０００５】
図１４は、従来における回転電機１０のステータコア１２に関して、スロット１５内の導線Ｕ１，Ｕ２，Ｕ３，Ｕ４の電流の流れ順およびスロット内位置Ｌ１，Ｌ２，Ｌ３，Ｌ４を説明するための展開図、図１５は、スロット１５内の導線Ｕ１，Ｕ２，Ｕ３，Ｕ４の電流の流れ順およびスロット内位置Ｌ１，Ｌ２，Ｌ３，Ｌ４を説明するための一部拡大した模式図である。
【０００６】
ここで、図中の（括弧）で囲まれた数値は、ステータコア１２に設けられたスロット１５のスロット番号である。Ｌ１〜Ｌ４は、スロット内位置を示し、スロット１５の最も奥側（ステータコア１２の外周側）がＬ４、最も開口側（ステータコア１２の内周側）がＬ１である。回転電機１０としては、合計８極、４８スロットを有する３相（Ｕ相、Ｖ相、Ｗ相）の交流型である。
【０００７】
図１４、図１５においては、３相のうち、Ｕ相のコイルを構成する導線Ｕ１，Ｕ２、Ｕ３，Ｕ４について示されている。各導線Ｕ１，Ｕ２、Ｕ３，Ｕ４は、この順番で直列接続され、また、この順番で電流が流れる。図示された「Ｕ１−１」、「Ｕ２−２」、「Ｕ３−３」、「Ｕ４−４」のうち、「Ｕ１」、「Ｕ２」、「Ｕ３」、「Ｕ４」は、導線の番号を示し、「−１」、「−２」、「−３」、「−４」の部分は、コイルに所定の電圧を印加することで供給される電流の流れ順を示す。
【０００８】
１番目に電流が流れる導線Ｕ１は、スロット（１）、（２）、（１３）、（１４）、（２５）、（２６）、（３７）、（３８）では、スロット内位置Ｌ４に位置し、スロット（７）、（８）、（１９）、（２０）、（３１）、（３２）、（４３）、（４４）では、スロット内位置Ｌ３に位置する。２番目に電流が流れる導線Ｕ２は、各スロット１５において、導線Ｕ１がスロット内位置Ｌ４に位置するときにスロット内位置Ｌ３に位置し、導線Ｕ１がスロット内位置Ｌ３に位置するときにスロット内位置Ｌ４に位置する。
【０００９】
一方、３番目に電流が流れる導線Ｕ３は、スロット（１）、（２）、（１３）、（１４）、（２５）、（２６）、（３７）、（３８）では、スロット内位置Ｌ２に位置し、スロット（７）、（８）、（１９）、（２０）、（３１）、（３２）、（４３）、（４４）では、スロット内位置Ｌ１に位置する。４番目に電流が流れる導線Ｕ４は、各スロット１５において、導線Ｕ３がスロット内位置Ｌ２に位置するときにスロット内位置Ｌ１に位置し、導線Ｕ３がスロット内位置Ｌ１に位置するときにスロット内位置Ｌ２に位置する。
【先行技術文献】
【特許文献】
【００１０】
【特許文献１】特開２０１１−１０９８９４号公報
【発明の概要】
【発明が解決しようとする課題】
【００１１】
しかしながら、従来では、前述した分担電圧については考慮されていないため、絶縁耐力を向上させるために、導線の絶縁被膜を厚くする、あるいは導線を絶縁紙で包むことで対応している（例えば、特開２０１０−１１９２９６号公報、特開２０１２−１４６７４号公報参照）。導線の絶縁被膜を厚くする場合、絶縁被膜の上側にさらに絶縁性の樹脂をコーティングする必要がある。また、絶縁紙で包む場合には、複雑な形状に折り曲げた絶縁紙で導線を包む必要があり、いずれの場合にも製作に手間や材料費がかかってコスト高になるうえ、放熱性が悪化するという問題が生じる。また、スロット内での配置スペース等を考慮して絶縁被膜の分だけ導線の導体断面積を小さくすると、導体の電気抵抗が増加して通電時の発熱が増えるため、導線がさらに高温になることが懸念される。
【００１２】
図１４、図１５に基づいて説明すると、スロット（１）、（２）、（１３）、（１４）、（２５）、（２６）、（３７）、（３８）では、径方向に隣接し合う導線のスロット内位置の位置関係から、スロット内位置Ｌ４，Ｌ３においては、１番目に電流が流れる導線Ｕ１と２番目に流れる導線Ｕ２とが隣接するから、これらの導線Ｕ１，Ｕ２での電流の流れ順の差は「１」である。スロット内位置Ｌ３、Ｌ２でも、導線Ｕ２，Ｕ３での電流の流れ順の差は「１」であり、スロット内位置Ｌ２，Ｌ１でも、導線Ｕ３，Ｕ４での電流の流れ順の差は「１」である。
【００１３】
これに対し、スロット（７）、（８）、（１９）、（２０）、（３１）、（３２）、（４３）、（４４）では、スロット内位置Ｌ４，Ｌ３において、導線Ｕ１，Ｕ２での電流の流れ順の差は「１」であり、スロット内位置Ｌ２，Ｌ１でも、導線Ｕ３，Ｕ４での電流の流れ順の差は「１」であるが、スロット内位置Ｌ３，Ｌ２に限っては、１番目に電流が流れる導線Ｕ１と４番目に流れる導線Ｕ４とが隣接するから、これらの導線Ｕ１，Ｕ４での電流の流れ順の差は「３」である。従って、流れ順の差が「３」となるスロット内位置Ｌ３，Ｌ２にて分担電圧が大きくなり、絶縁耐力に関する種々の弊害が生じることとなる。
【００１４】
本発明の目的は、大きな分担電圧によって生じる種々の問題を解決できる回転電機を提供することにある。
【課題を解決するための手段】
【００１５】
本発明の回転電機は、周方向に交互に形成された複数のティースおよび複数のスロットを有する円環状のステータコアと、前記ステータコアに対して相毎に電気的に少なくとも４巻きされるコイルとを備え、前記コイルは、電気的に直列に接続された少なくとも４本の第１導線、第２導線、第３導線、および第４導線で構成され、前記スロットの内部の外周寄りにて径方向に隣接する一対のスロット内位置には、同一相の前記第１導線および第２導線が位置するとともに、前記第１導線および第２導線は、周方向に隣接する一対のスロットを一単位として当該一単位毎にスロット内位置が入れ替わり、前記スロットの内部の前記第１導線および第２導線に対して内周寄りに隣接しかつ径方向に隣接する一対のスロット内位置には、同一相の前記第３導線および第４導線が位置するとともに、前記第３導線および第４導線は、周方向に隣接する一対のスロットを一単位として当該一単位毎にスロット内位置が入れ替わり、前記第１導線および第２導線にて構成される直列回路と、前記第３導線および第４導線にて構成される直列回路とに渡る渡り線は、最外周側のスロット内位置に位置した導線の終端部または始端部と、最内周側のスロット内位置に位置した導線の始端部または終端部との間に接続されるか、または前記スロットの内部の径方向の中寄りで隣接する一対の導線の終端部および始端部の間に接続されることを特徴とする。
【００１６】
本発明の回転電機は、周方向に交互に形成された複数のティースおよび複数のスロットを有する円環状のステータコアと、前記ステータコアに対して相毎に電気的に少なくとも４巻きされるコイルとを備え、前記コイルは、電気的に直列に接続された少なくとも４本の第１導線、第２導線、第３導線、および第４導線で構成され、前記スロットの内部には、同一相の前記第１導線、第２導線、第３導線、および第４導線が径方向に沿って位置し、前記第１導線、第２導線、第３導線、および第４導線のうち、前記スロットの内部で互いに隣接する位置にある一対の導線では、電流が流れる順番の差が２以下であることを特徴とする。
【００１７】
本発明の回転電機において、前記第１導線、第２導線、第３導線、および第４導線を互いに接続する同一相内での渡り線、相毎に設けられた前記コイルを互いに接続する相間での渡り線、および前記コイルの入力端に接続されるリード線は、前記ステータコアの軸線方向の一端側に集約されていることが好ましい。
【発明の効果】
【００１８】
本発明によれば、第１ないし第４導線への電流の流し順や、渡り線の接続形態を最適化することで、スロット内に径方向に沿って位置する少なくとも第１ないし第４導線のうち、径方向に隣接し合う一対の導線間では、電流が供給された際の流れる順番の差が２以内となり、両導線間での電位に大きな差が生じにくくなって分担電圧を小さくできる。従って、導線の絶縁被膜を厚くするために樹脂コーティングを施したり、絶縁紙で包んだりする必要がないから、製作に手間や材料費がかからないうえ、放熱性を良好にできる。また、そのような樹脂コーティングや絶縁紙が不要なことにより、導線全体の断面積をそのままに維持できるため、導線の導体断面積を小さくする必要がなく、導線での発熱自身を抑制できる。
【図面の簡単な説明】
【００１９】
【図１】本発明の一実施形態に係る回転電機のステータを示す正面図。
【図２】ステータの軸線方向の一端側を示す斜視図。
【図３】ステータの軸線方向の一端側を示す平面図であり、波巻きされた一相分のコイルの略半分を示す図。
【図４】ステータの軸線方向の一端側を示す平面図であり、波巻きされた一相分のコイルの残り略半分を示す図。を説明するための一部拡大した模式図。
【図５】前記実施形態における導線の電流の流れ順およびスロット内位置を説明するための展開図。
【図６】前記実施形態における導線の電流の流れ順およびスロット内位置を説明するための一部拡大した模式図。
【図７】第１実施例を示す展開図。
【図８】第２実施例を示す展開図。
【図９】第３実施例を示す展開図。
【図１０】第４実施例を示す展開図。
【図１１】第５実施例を示す展開図。
【図１２】第６実施例を示す展開図。
【図１３】第７実施例を示す展開図。
【図１４】従来における導線の電流の流れ順およびスロット内位置を説明するための展開図。
【図１５】従来における導線の流れ順およびスロット内位置するための一部拡大した模式図。
【発明を実施するための形態】
【００２０】
以下、本発明の実施形態を図面に基づいて説明する。
図１は、本実施形態に係る回転電機１０のステータ１１を示す正面図である。図２は、軸線Ｃ１の軸線方向に対してその一端側を示す斜視図である。図３は、軸線方向の一端側を示す平面図であり、波巻きされた一相分のコイル１３Ｕの略半分を示す図である。図４は、波巻きされた一相分のコイル１３Ｕの残り略半分を示す図である。
【００２１】
なお、本実施形態の説明で用いる図面において、背景技術の説明に用いた図１４、図１５に示す部材と同一機能を有する部材には、同じ符号を付してある。また、本実施形態の説明で用いる図面でも、スロット１５のスロット番号を周方向に順に（括弧）書きにて示してある。以下の説明でも同じである。さらに、以下の説明では、ステータ１１の軸線Ｃ１の軸線方向に対してその一端側を「上側」、他端側を「下側」という場合がある。
【００２２】
［回転電機の概略説明］
図１〜図４において、回転電機１０は、例えば図示しない建設機械の上部旋回体を下部走行体に対して旋回駆動する３相（Ｕ相、Ｖ相、Ｗ相）８極の交流型の永久磁石同期モータとして構成される。回転電機１０は、円筒状のステータ１１と、ステータ１１内に回転自在に収容されるロータとを備える。
【００２３】
ステータ１１は、複数の円環状の電磁鋼板を積層して構成されるステータコア１２と、ステータコア１２に波巻きされる断面平角形状の巻線により形成された３相分のコイル１３Ｕ，１３Ｖ，１３Ｗとを備える。３相８極を有する本実施形態において、ステータコア１２にはそれぞれ、４８個のティース１４およびスロット１５が周方向（回転電機１０での回転方向に同じ）に等間隔で交互に形成されている。コイル１３Ｕ，１３Ｖ，１３Ｗとしては、４ターンのシングルスター結線が採用されている。
【００２４】
図１、図２に示すように、ステータコア１２の軸線方向の一端側である上側では、コイル１３Ｕ，１３Ｖ，１３Ｗの一部が上側に向けて片状に突設され、スロット１５の数に対応した４８列の突片部分として径方向に沿って直線状に形成されている。ステータコア１２の他端側である下側でも同様である。
【００２５】
このようなコイル１３Ｕ，１３Ｖ，１３Ｗの巻線は、一対の短尺導線（ハーフコイル）の一端同士を予め溶着しておくことで松葉形状とされた多数の巻線セグメントで構成される。巻線セグメントの両端は、周方向に所定ピッチ離間した一対のスロット１５の挿入側である上側から挿入される。この際、巻線セグメントの一方側と他方側とでは、スロット１５内でのスロット内位置が異なる。つまり、巻線セグメントの中央部分は、ステータコア１２の上方にあって突片部分を構成し、かつ上側のターンチェンジ部分を構成している。
【００２６】
スロット１５の反挿入側となる下側から突出した巻線セグメントの一端は、当該一対のスロット１５に対し、周方向にさらに所定ピッチ離間したスロット１５の下側から突出した他の巻線セグメントの他端と溶着される。この際に形成される下方の突片部分は、片側４８列の溶接部分であって、後述する渡り線が溶接される部分でもあり、巻線セグメントが挿入された後に溶接される溶接部分がステータコア１２の下側に集約されることとなる。加えて、相毎に設けられたコイル１３Ｕ，１３Ｖ，１３Ｗを互いに接続する相間での渡り線、およびコイル１３Ｕ，１３Ｖ，１３Ｗの入力端に接続されるリード線などの溶接部分も、ステータコア１２の下側に集約される。さらに、そのような下側での突片部分は、下側のターンチェンジ部分でもある。
【００２７】
［コイルの説明］
コイル１３Ｕ，１３Ｖ，１３Ｗの具体的な構成および形状について、代表してＵ相のコイル１３Ｕを以下に説明する。
図３、図４において、コイル１３Ｕの巻線は、断面四角形とされた合計４本の平角導線Ｕ１（第１導線），Ｕ２（第２導線），Ｕ３（第３導線），Ｕ４（第４導線）を所定の順番で直列に接続した構成である。平角導線Ｕ１，Ｕ２，Ｕ３，Ｕ４は、実際には図３、図４を重ね合わせて示されるように、同一のステータコア１２に対して波巻きされるが、ここでは作図上の便宜を図るため、平角導線Ｕ１，Ｕ３を図３に示し、平角導線Ｕ２，Ｕ４を図４に示した。
【００２８】
平角導線Ｕ１，Ｕ２，Ｕ３，Ｕ４のそれぞれは、ステータコア１２に対して構造的に２巻きされるが、電気的には１巻きのみである。従って、４本の平角導線Ｕ１，Ｕ２，Ｕ３，Ｕ４が直列接続されて１本とされた巻線全体としては、ステータコア１２に対して電気的に４巻きされる。このことが４ターンのシングルスター結線を構成することとなる。
【００２９】
従来と同様、平角導線Ｕ１，Ｕ２は、スロット１５の奥側またはこれに近いスロット内位置Ｌ４、Ｌ３（図５、図６）に位置する。平角導線Ｕ３，Ｕ４は、スロット１５の開口側またはこれに近いスロット内位置Ｌ２，Ｌ１に位置する。ステータ１１の上側および下側では、平角導線Ｕ１，Ｕ２，Ｕ３，Ｕ４のうち、スロット１５の外部に露出した部分がターンチェンジ部分を有したクランク形状に出現している。このような平角導線Ｕ１，Ｕ２，Ｕ３，Ｕ４によって構成されるコイル１３Ｕの巻線の一端は入力端とされ、他端は出力端である。出力端は、他のコイル１３Ｖ、１３Ｗの出力端と接合されることにより、中性点を形成する。
【００３０】
［平角導線Ｕ１］
以下には、平角導線Ｕ１について、より具体的に説明する。先ず、平角導線Ｕ１の始端部は、ステータコア１２の下側において、図３に示すスロット（１）とスロット（７）との間の周方向の中間位置にあり、下方に突設された突片部分として構成される。平角導線Ｕ１は、電流の流れる方向に従って説明すると、当該始端部を構成する突片部分がスロット内位置Ｌ４の下方に対応して位置し、ここからコイルピッチにして３ピッチだけ周方向に沿って反時計方向に延設され、スロット（１）のスロット内位置Ｌ４の下方に至る。
【００３１】
この後、平角導線Ｕ１は、スロット（１）のスロット内位置Ｌ４を下側から上側に向かって通る。スロット（１）の上側から出た平角導線Ｕ１は、スロット内位置Ｌ４の上方を３ピッチだけ反時計方向に延設され、この後にターンチェンジ部分を介してスロット内位置Ｌ３の上方に移り、このスロット内位置Ｌ３の上方をさらに３ピッチだけ反時計方向に延設され、スロット（４３）の上方に至る。
【００３２】
ここから平角導線Ｕ１は、スロット（４３）のスロット内位置Ｌ３を上側から下側に向かって通り、スロット（４３）の下側から出る。そして、平角導線Ｕ１は、スロット内位置Ｌ３の下方を３ピッチ反時計方向に延設された後、スロット内位置Ｌ４の下方に移り、さらに３ピッチ反時計方向に延設されてスロット（３７）の下方に至る。次いで、平角導線Ｕ１は、スロット（３７）のスロット内位置Ｌ４を下側から上側に向かって通る。
【００３３】
以下、平角導線Ｕ１は、スロット（３１）のスロット内位置Ｌ３を上側から下側に向かって通り、スロット（２５）のスロット内位置Ｌ４を下側から上側に向かって通り、スロット（１９）のスロット内位置Ｌ３を上側から下側に向かって通り、スロット（１３）のスロット内位置Ｌ４を下側から上側に向かって通り、スロット（７）のスロット内位置Ｌ３を上側から下側に向かって通る。
【００３４】
スロット（７）のスロット内位置Ｌ３の下側から出た平角導線Ｕ１は、反時計方向に３ピッチ延設される。その延設端は下方に突設した突片部分で構成される。この突片部分は、１ピッチ時計方向に戻った位置でのスロット内位置Ｌ４の下方にある突片部分に渡り線を介して接続される。この結果、平角導線Ｕ１は、構造的に１巻きを終了する。そして、ここからの平角導線Ｕ１は、１巻き目と軸線方向つまり上下に重なることとなる。
【００３５】
そして、平角導線Ｕ１は、スロット（２）のスロット内位置Ｌ４の下方に至り、スロット（２）のスロット内位置Ｌ４を下側から上側に向かって通り、その上方に出る。さらに、平角導線Ｕ１はここから、３ピッチ反時計方向に延設され、１ターン目と上下位置を入れ替えながら、スロット（４４）、スロット（３８）、スロット（３２）、スロット（２６）、スロット（２０）、スロット（１４）、スロット（８）を通る。
【００３６】
スロット（８）のスロット内位置Ｌ３の下側から出た平角導線Ｕ１は、反時計方向に３ピッチ延設される。これにより、平角導線Ｕ１による構造的な２巻き目、すなわち電気的な１巻きが終了する。なお、最終的な延設端に設けられる突片部分は、平角導線Ｕ１の終端部である。終端部は、平角導線Ｕ２（図４）の始端部として設けられる突片部分に渡り線を介して接続されるが、この渡り線を介しての接続については後述する。
【００３７】
［平角導線Ｕ２］
平角導線Ｕ２は、スロット（１）、（２）、（１３）、（１４）、（２５）、（２６）、（３７）、（３８）のスロット内位置Ｌ３、およびスロット（７）、（８）、（１９）、（２０）、（３１）、（３２）、（４３）、（４４）のスロット内位置Ｌ４を通り、ステータコア１２に対して電気的に１巻きされる。このように、同一スロット内においては、平角導線Ｕ１がスロット内位置Ｌ４に位置するとき、平角導線Ｕ２はスロット内位置Ｌ３に位置する。反対に、平角導線Ｕ１がスロット内位置Ｌ３に位置するとき、平角導線Ｕ２はスロット内位置Ｌ４に位置する。
【００３８】
また、平角導線Ｕ１がステータコア１２の上側に出現している領域では、平角導線Ｕ２はステータコア１２の下側に出現している。反対に、平角導線Ｕ１がステータコア１２の下側に出現している領域では、平角導線Ｕ２はステータコア１２の上側に出現している。電気的に１巻きされた平角導線Ｕ２において、その終端部として設けられる突片部分は、本実施形態では、渡り線を介して平角導線Ｕ４（図４）の始端部として設けられる突片部分に接続される。この渡り線を介しての接続についても後述する。
【００３９】
［平角導線Ｕ３，Ｕ４］
平角導線Ｕ３，Ｕ４は、平角導線Ｕ１，Ｕ２と同様に、スロット（１）、（２）、（７）、（８）、（１３）、（１４）、（１９）、（２０）、（２５）、（２６）、（３１）、（３１）、（３７）、（３８）、（４３）、（４４）のスロット内位置Ｌ１，Ｌ２を通り、ステータコア１２に対して電気的に１巻きされる。ただし、同一スロット内においては、平角導線Ｕ３がスロット内位置Ｌ２に位置するとき、平角導線Ｕ４はスロット内位置Ｌ１に位置する。反対に、平角導線Ｕ３がスロット内位置Ｌ１に位置するとき、平角導線Ｕ４はスロット内位置Ｌ２に位置する。
【００４０】
また、平角導線Ｕ３がステータコア１２の上側に出現している領域では、平角導線Ｕ４はステータコア１２の下側に出現している。反対に、平角導線Ｕ３がステータコア１２の下側に出現している領域では、平角導線Ｕ４はステータコア１２の上側に出現している。電気的に１巻きされた平角導線Ｕ４において、その終端部として設けられる突片部分は、本実施形態では、渡り線を介して平角導線Ｕ３（図４）の始端部として設けられる突片部分に接続される。この渡り線を介しての接続についても後述する。
【００４１】
以上、本実施形態では、スロット１５の内部において、ステータコア１２の外周寄りに設けられて径方向に隣接するスロット内位置Ｌ４，Ｌ３には、同一相の平角導線Ｕ１，Ｕ２が位置するとともに、これらが周方向に隣接する一対のスロット１５を一単位として当該一単位毎にスロット内位置Ｌ４，Ｌ３が入れ替わる。同様に、それら平角導線Ｕ１，Ｕ２に対してステータコア１２の内周寄りに隣接しかつ径方向に隣接するスロット内位置Ｌ２，Ｌ１には、同一相の平角導線Ｕ３，Ｕ４が位置するとともに、これらが周方向に隣接する一対のスロット１５を一単位として当該一単位毎にスロット内位置Ｌ２，Ｌ１が入れ替わる。
【００４２】
［各平角導線の電流の流れ順およびスロット内位置］
図５は、本実施形態における回転電機１０のステータコア１２に関して、スロット１５内の平角導線Ｕ１，Ｕ２，Ｕ３，Ｕ４の電流の流れ順およびスロット内位置Ｌ１，Ｌ２，Ｌ３，Ｌ４を説明するための展開図、図６は、スロット１５内の平角導線Ｕ１，Ｕ２，Ｕ３，Ｕ４の電流の流れ順およびスロット内位置Ｌ１，Ｌ２，Ｌ３，Ｌ４を説明するための一部拡大した模式図である。図５、図６の見方は、既に説明した図１４，図１５と同じである。
【００４３】
図５、図６においては、１番目に電流が流れる平角導線Ｕ１は、従来と同様、スロット（１）、（２）、（１３）、（１４）、（２５）、（２６）、（３７）、（３８）では、スロット内位置Ｌ４に位置し、スロット（７）、（８）、（１９）、（２０）、（３１）、（３２）、（４３）、（４４）では、スロット内位置Ｌ３に位置する。２番目に電流が流れる平角導線Ｕ２も、従来と同様、各スロットにおいて、平角導線Ｕ１がスロット内位置Ｌ４に位置するときにスロット内位置Ｌ３に位置し、平角導線Ｕ１がスロット内位置Ｌ３に位置するときにスロット内位置Ｌ４に位置する。
【００４４】
一方、平角導線Ｕ３は、スロット（１）、（２）、（１３）、（１４）、（２５）、（２６）、（３７）、（３８）では、スロット内位置Ｌ２に位置し、スロット（７）、（８）、（１９）、（２０）、（３１）、（３２）、（４３）、（４４）では、スロット内位置Ｌ１に位置する。平角導線Ｕ４は、各スロットにおいて、平角導線Ｕ３がスロット内位置Ｌ２に位置するときにスロット内位置Ｌ１に位置し、平角導線Ｕ３がスロット内位置Ｌ１に位置するときにスロット内位置Ｌ２に位置する。つまり平角導線Ｕ３，Ｕ４のスロット内位置に関しては、従来と同じである。
【００４５】
しかし、本実施形態では、平角導線Ｕ３，Ｕ４に流れる電流の順番が図１４、図１５に示す従来とは逆転している。すなわち本実施形態において、平角導線Ｕ２の次に電流が流れるのは平角導線Ｕ４であり、平角導線Ｕ４を流れた後、最後に平角導線Ｕ３に電流が流れる。これは、平角導線Ｕ２の終端部が渡り線を介して平角導線Ｕ４の始端部に接続されるからであり、コイル１３Ｕの巻線として、平角導線Ｕ１，Ｕ２，Ｕ４，Ｕ３の順番で直列接続され、この順番で電流が供給されるからである。
【００４６】
本実施形態によれば、スロット（１）、（２）、（１３）、（１４）、（２５）、（２６）、（３７）、（３８）では、径方向に隣接し合う導線のスロット内位置の位置関係から、スロット内位置Ｌ４，Ｌ３においては、従来と同様、１番目に電流が流れる平角導線Ｕ１と２番目に流れる平角導線Ｕ２とが隣接するから、これらの平角導線Ｕ１，Ｕ２での電流の流れ順の差は「１」である。スロット内位置Ｌ２，Ｌ１でも、平角導線Ｕ３，Ｕ４での電流の流れ順の差は「１」である。
【００４７】
一方、スロット内位置Ｌ３、Ｌ２では、２番目に電流が流れる平角導線Ｕ２と４番目に流れる平角導線Ｕ３が隣接するから、これらの平角導線Ｕ２，Ｕ４での電流の流れ順の差は「２」である。従来、スロット内位置Ｌ３、Ｌ２での平角導線Ｕ２，Ｕ３での電流の流れ順の差は「１」であったが、本実施形態では「２」に増えている。しかし、電流の流れ順の差「２」は、電流の流れ順の差「３」と比較して、平角導線Ｕ２，Ｕ４間の絶縁耐力に問題が生じないレベルであり、絶縁耐力を向上させるための繁雑な処理は不要である。
【００４８】
また、スロット（７）、（８）、（１９）、（２０）、（３１）、（３２）、（４３）、（４４）では、スロット内位置Ｌ４，Ｌ３において、平角導線Ｕ１，Ｕ２での電流の流れ順の差は「１」であり、スロット内位置Ｌ２，Ｌ１内でも、平角導線Ｕ３，Ｕ４での電流の流れ順の差は「１」である。そして、スロット内位置Ｌ３，Ｌ２においては、１番目に電流が流れる平角導線Ｕ１と３番目に流れる平角導線Ｕ４とが隣接するから、これらの平角導線Ｕ１，Ｕ４での電流の流れ順の差は「２」である。従って、スロット内位置Ｌ３，Ｌ２では従来、電流の流れ順の差が「３」であり、分担電圧が大きくなって種々の弊害が生じていたが、本実施形態での電流の流れ順の差は「２」であるから、分担電圧を小さくでき、種々の弊害が生じるのを抑制できる。
【００４９】
以上説明したように、本実施形態によれば、スロット内位置Ｌ１〜Ｌ４では、平角導線Ｕ１，Ｕ２，Ｕ３，Ｕ４のうちのいずれか同士が隣接している場合でも、電流の流れ順の差が「２」以下であり、「３」になることがない。このため、両者間での分担電圧を確実に抑制でき、本発明の前述した目的を達成できる。
【００５０】
［渡り線の具体的な接続位置］
前記実施形態においては単に、１番目に電流が流れる平角導線Ｕ１の終端部は、２番目に電流が流れる平角導線Ｕ２の始端部に渡り線を介して接続されるとして説明した。また、２番目に電流が流れる平角導線Ｕ２の終端部は、３番目に電流が流れる平角導線Ｕ４の始端部に渡り線を介して接続されるとして説明した。そして、この平角導線Ｕ４の終端部は、４番目に電流が流れる平角導線Ｕ３の始端部に渡り線を介して接続させるとして説明した。以下にはより詳細に、図７ないし図１２に基づいて、平角導線Ｕ１，Ｕ２，Ｕ３，Ｕ４の始端部の位置および終端部の位置を明らかにして、それらの接続位置を説明する。
【００５１】
また、前記実施形態では、平角導線Ｕ１，Ｕ２，Ｕ３，Ｕ４にはそれぞれ、１番目、２番目、４番目、３番目の順で電流が流れるとして説明したが、図７ないし図１２では、電流が流れる順番をスロット１５の数に対応させてより微細化した。つまり平角導線Ｕ１，Ｕ２，Ｕ３，Ｕ４を直列に接続して１本の巻線として見なし、この巻線に対して電流の入力端から電流の流れ方向に従って順に通しの番号を付した。このような番号がスロット１５に対応して付されることで、後述するように、平角導線Ｕ１，Ｕ２，Ｕ３，Ｕ４単位での電流の流れ順の差が「２」の中でも、いずれのスロット番号のスロット１５にて分担電圧が最も大きくいか等を算出可能である。
【００５２】
（第１実施例）
図７は、第１実施例に係る展開図である。
図７および前出の図３、図４において、電流は先ず、スロット（１）のスロット内位置Ｌ４に位置する平角導線Ｕ１に供給される。具体的には、スロット（１）の直前（電流の流れ方向に対して直ぐ上流側）の突片部分が平角導線Ｕ１の始端部、すなわち巻線としての入力端として設定され、ここに電流が供給される。従って、図７に示すスロット（１）およびスロット内位置Ｌ４に対応した箇所には、電流の流れ順をより微細化した場合の順番として「１」が記されている。
【００５３】
次いで電流は、図３中に示す平角導線Ｕ１を反時計方向に流れ、途中のターンチェンジ部分を介してスロット（４３）のスロット内位置Ｌ３を通る。このため、図７に示すスロット（４３）およびスロット内位置Ｌ３に対応した箇所には、電流の流れ順をより微細化した場合の順番として「２」が記されている。以下、「３」〜「１６」の順番で、各スロット１５のスロット内位置Ｌ４，Ｌ３を通る平角導線Ｕ１に電流が流れる。そして、平角導線Ｕ１には、最後の「１６」番目に通過するスロット（８）から出た直後の位置に終端部としての突片部分が設けられる。
【００５４】
この終端部と渡り線Ｊ１を介して接続されるのは、電流が「１７」番目に流れる平角導線Ｕ２の始端部である。この始端部は、スロットスロット（２）の直前の突片部分で構成される。平角導線Ｕ２の始端部に流れ込んだ電流は、スロット（２）のスロット内位置Ｌ３に配置された平角導線Ｕ２を通った後、「１８」番目として、スロット（８）のスロット内位置Ｌ１に配置された平角導線Ｕ２を通る。以下、「１９」〜「３２」の順番で、各スロット１５のスロット内位置Ｌ４，Ｌ３を通る平角導線Ｕ２に電流が流れる。そして、平角導線Ｕ２には、最後の「３２」番目に通過するスロット（４３）から出た直後の位置に終端部としての突片部分が設けられる。
【００５５】
そして、この終端部と渡り線Ｊ２を介して接続されるのは、電流が「３３」番目に流れる平角導線Ｕ４の始端部である。つまり外周側と内周側とに渡る渡り線Ｊ２は、最外周側のスロット内位置Ｌ４に位置した平角導線Ｕ２の終端部と、最内周側のスロット内位置Ｌ１に位置した平角導線Ｕ４の始端部との間に接続される。この始端部もスロット（２）の直前の突片部分で構成されるが、渡り線Ｊ１が接続される始端部とは、径方向の位置が異なる。平角導線Ｕ４の始端部に流れ込んだ電流は、スロット（２）のスロット内位置Ｌ１に配置された平角導線Ｕ４を通った後、「３４」番目として、スロット（８）のスロット内位置Ｌ２に配置された平角導線Ｕ４を通る。以下、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（４３）から出た直後の位置に終端部としての突片部分が設けられる。
【００５６】
さらに、この終端部と渡り線Ｊ３を介して接続されるのは、電流が「４９」番目に流れる平角導線Ｕ３の始端部である。この始端部は、スロット（３７）の直前の突片部分で構成される。平角導線Ｕ３の始端部に流れ込んだ電流は、スロット（３７）のスロット内位置Ｌ２に配置された平角導線Ｕ３を通った後、「５０」番目として、スロット（３１）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（４４）から出た直後の位置に出力端としての突片部分が設けられる。
【００５７】
スロット１５毎に具体的にみると、スロット（１）のスロット内位置Ｌ４とスロット内位置Ｌ３との順番の差は「２４」である。スロット内位置Ｌ３とスロット内位置Ｌ２との順番の差は「３０」である。スロット内位置Ｌ２とスロット内位置Ｌ１との順番の差は「１４」である。スロット（２）ではそれぞれ、「８」、「４６」、「３０」である。以下、同様にしてスロット１５毎の順番差を算出することが可能である。
【００５８】
以上の第１実施例によれば、平角導線Ｕ１および平角導線Ｕ２を直列に接続することで構成される直列回路と、平角導線Ｕ３および平角導線Ｕ４を直列に接続することで構成される直列回路とに渡る渡り線Ｊ２は、最外周側のスロット内位置に位置した平角導線Ｕ２の終端部と、最内周側のスロット内位置に位置した平角導線Ｕ４の始端部の間に接続される。このことは、後述する第２〜第６実施例でも、同様である。
【００５９】
この結果、第１実施例によれば、スロット内位置Ｌ３，Ｌ２での電流が流れる順番の差は、最も大きくて「４６」である。そして、該当するスロット１５は、スロット（２）、（４３）である。ただし、前記実施形態で説明したように、平角導線Ｕ１，Ｕ２，Ｕ３，Ｕ４単位で見た場合には、スロット内位置Ｌ３，Ｌ２での電流が流れる順番の差は「２」であり、分担電圧の観点からは何ら問題がない。
【００６０】
してみると、第１実施例で得られる電流の流れ順の差である「４６」は、より分担電圧が小さくなるよう、渡り線Ｊ１，Ｊ２，Ｊ３の結線箇所を特定する場合の指標として有効といえる。第２〜第６実施例でも、同様である。
また、第１〜第６実施例では特に、渡り線Ｊ２，Ｊ３の結線箇所が異なっており、渡り線Ｊ２，Ｊ３の長さや取り回しが異なる可能性が大きい。このため、渡り線Ｊ２，Ｊ３の結線箇所を異ならせることは、渡り線Ｊ２，Ｊ３のより簡便な結線方法を決定するうえで有効である。
さらに、巻線セグメントの溶接部分がステータコア１２の下方に設けられることから、そのような渡り線Ｊ１，Ｊ２，Ｊ３の接続をもステータコア１２の下方に集約すれば、溶接作業を迅速に行うことができ、作業性を向上させることができる。
【００６１】
（第２実施例）
図８は、第２実施例に係る展開図である。なお、第２実施例およびこれ以降の第３〜第６実施例では、平角導線Ｕ１での始端部（入力端）および終端部、平角導線Ｕ２での始端部および終端部に関して、第１実施例と同じである。従って、第２〜第６実施例においては、平角導線Ｕ２の終端部と渡り線Ｊ２の接続先の説明から始めることとする。
【００６２】
図８、図３、図４において、平角導線Ｕ２の終端部と渡り線Ｊ２を介して接続されるのは、電流が「３３」番目に流れる平角導線Ｕ４の始端部である。この始端部は、スロット（２６）の直前の突片部分で構成される。平角導線Ｕ４の始端部に流れ込んだ電流は、スロット（２６）のスロット内位置Ｌ１に配置された平角導線Ｕ４を通った後、「３４」番目として、スロット（３２）のスロット内位置Ｌ２に配置された平角導線Ｕ４を通る。以下、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（１９）から出た直後の位置に終端部としての突片部分が設けられる。
【００６３】
さらに、この終端部と渡り線Ｊ３を介して接続されるのは、電流が「４９」番目に流れる平角導線Ｕ３の始端部である。この始端部は、スロット（１３）の直前の突片部分で構成される。平角導線Ｕ３の始端部に流れ込んだ電流は、スロット（１３）のスロット内位置Ｌ２に配置された平角導線Ｕ３を通った後、「５０」番目として、スロット（７）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（２０）から出た直後の位置に出力端としての突片部分が設けられる。
【００６４】
第２実施例によれば、スロット内位置Ｌ３，Ｌ２での電流が流れる順番の差は、最も大きくて「４２」である。そして、該当するスロット１５は、スロット（２）、（１９）、（２６）、（４３）である。
【００６５】
（第３実施例）
図９は、第３実施例に係る展開図である。
図９、図３、図４において、平角導線Ｕ２の終端部は、電流が「３３」番目に流れる平角導線Ｕ４の始端部と渡り線Ｊ２を介して接続される。平角導線Ｕ４の始端部は、スロット（３８）の直前の突片部分で構成される。平角導線Ｕ４の始端部に流れ込んだ電流は、スロット（３８）のスロット内位置Ｌ１に配置された平角導線Ｕ４を通った後、「３４」番目として、スロット（４４）のスロット内位置Ｌ２に配置された平角導線Ｕ４を通る。以下、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（３１）から出た直後の位置に終端部としての突片部分が設けられる。
【００６６】
さらに、平角導線Ｕ４の終端部は、電流が「４９」番目に流れる平角導線Ｕ３の始端部と渡り線Ｊ３で接続される。平角導線Ｕ３の始端部は、スロット（２５）の直前の突片部分で構成される。平角導線Ｕ３の始端部に流れ込んだ電流は、スロット（２５）のスロット内位置Ｌ２に配置された平角導線Ｕ３を通った後、「５０」番目として、スロット（１９）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（３２）から出た直後の位置に出力端としての突片部分が設けられる。
【００６７】
第３実施例によれば、スロット内位置Ｌ３，Ｌ２での電流が流れる順番の差は、最も大きくて「４４」である。そして、該当するスロット１５は、スロット（２）、（３１）である。
【００６８】
（第４実施例）
図１０は、第４実施例に係る展開図である。
図１０、図３、図４において、平角導線Ｕ２の終端部は、電流が「３３」番目に流れる平角導線Ｕ４の始端部と渡り線Ｊ２を介して接続される。平角導線Ｕ４の始端部は、スロット（１４）の直前の突片部分で構成される。平角導線Ｕ４の始端部に流れ込んだ電流は、スロット（１４）のスロット内位置Ｌ１に配置された平角導線Ｕ４を通った後、「３４」番目として、スロット（２０）のスロット内位置Ｌ２に配置された平角導線Ｕ４を通る。以下、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（７）から出た直後の位置に終端部としての突片部分が設けられる。
【００６９】
さらに、平角導線Ｕ４の終端部は、電流が「４９」番目に流れる平角導線Ｕ３の始端部と渡り線Ｊ３で接続される。平角導線Ｕ３の始端部は、スロット（１）の直前の突片部分で構成される。平角導線Ｕ３の始端部に流れ込んだ電流は、スロット（１）のスロット内位置Ｌ２に配置された平角導線Ｕ３を通った後、「５０」番目として、スロット（４３）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（８）から出た直後の位置に出力端としての突片部分が設けられる。
【００７０】
第４実施例によれば、スロット内位置Ｌ３，Ｌ２での電流が流れる順番の差は、最も大きくて「４４」である。そして、該当するスロット１５は、スロット（１４）、（４３）である。
【００７１】
（第５実施例）
図１１は、第５実施例に係る展開図である。
図１１、図３、図４において、平角導線Ｕ２の終端部は、電流が「３３」番目に流れる平角導線Ｕ４の始端部と渡り線Ｊ２を介して接続される。平角導線Ｕ４の始端部は、第４実施例と同様、スロット（１４）の直前の突片部分で構成される。平角導線Ｕ４の始端部に流れ込んだ電流は、スロット（１４）のスロット内位置Ｌ１に配置された平角導線Ｕ４を通った後、「３４」番目として、スロット（２０）のスロット内位置Ｌ２に配置された平角導線Ｕ４を通る。以下、やはり第４実施例と同様、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（７）から出た直後の位置に終端部としての突片部分が設けられる。
【００７２】
そして、平角導線Ｕ４の終端部は、電流が「４９」番目に流れる平角導線Ｕ３の始端部と渡り線Ｊ３で接続される。平角導線Ｕ３の始端部は、第５実施例では、第２実施例と同様、スロット（１３）の直前の突片部分で構成される。平角導線Ｕ３の始端部に流れ込んだ電流は、スロット（１３）のスロット内位置Ｌ２に配置された平角導線Ｕ３を通った後、「５０」番目として、スロット（７）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（２０）から出た直後の位置に出力端としての突片部分が設けられる。
【００７３】
第５実施例によれば、スロット内位置Ｌ３，Ｌ２での電流が流れる順番の差は、最も大きくて「４４」である。そして、該当するスロット１５は、スロット（４３）である。
【００７４】
（第６実施例）
図１２は、第６実施例に係る展開図である。
図１２、図３、図４において、平角導線Ｕ２の終端部は、電流が「３３」番目に流れる平角導線Ｕ４の始端部と渡り線Ｊ２を介して接続される。平角導線Ｕ４の始端部は、第３実施例と同様、スロット（３８）の直前の突片部分で構成される。平角導線Ｕ４の始端部に流れ込んだ電流は、スロット（３８）のスロット内位置Ｌ１に配置された平角導線Ｕ４を通った後、「３４」番目として、スロット（４４）のスロット内位置Ｌ２に配置された平角導線Ｕ４を通る。以下、やはり第４実施例と同様、「３５」〜「４８」の順番で、各スロット１５のスロット内位置Ｌ１，Ｌ２を通る平角導線Ｕ４に電流が流れる。そして、平角導線Ｕ４には、最後の「４８」番目に通過するスロット（３１）から出た直後の位置に終端部としての突片部分が設けられる。
【００７５】
さらに、平角導線Ｕ４の終端部は、電流が「４９」番目に流れる平角導線Ｕ３の始端部と渡り線Ｊ３で接続される。平角導線Ｕ３の始端部は、第６実施例では、第１実施例と同様、スロット（３７）の直前の突片部分で構成される。平角導線Ｕ３の始端部に流れ込んだ電流は、スロット（３７）のスロット内位置Ｌ２に配置された平角導線Ｕ３を通った後、「５０」番目として、スロット（３１）のスロット内位置Ｌ１に配置された平角導線Ｕ３を通る。以下、「５１」〜「６４」の順番で、各スロット１５のスロット内位置Ｌ１，Ｌ２を通る平角導線Ｕ３に電流が流れる。そして、平角導線Ｕ３には、最後の「６４」番目に通過するスロット（４４）から出た直後の位置に出力端としての突片部分が設けられる。
【００７６】
第６実施例によれば、スロット内位置Ｌ３，Ｌ２での電流が流れる順番の差は、最も大きくて「４６」である。そして、該当するスロット１５は、スロット（２）である。
【００７７】
なお、本発明は前述の実施形態に限定されるものではなく、本発明の目的を達成できる範囲での変形、改良等は本発明に含まれるものである。
例えば、前記実施形態では、平角導線Ｕ１，Ｕ２，Ｕ３，Ｕ４を直列に接続した４ターンのシングルスター結線について説明したが、直列に接続された平角導線Ｕ１，Ｕ２と、同様に直列に接続された平角導線Ｕ３，Ｕ４とを並列に接続することで、４ターンのダブルスター結線としてもよい。また、８本の平角導線を用いることで、８ターンのシングルスター結線や８ターンのダブルスター結線を実現してもよい。
【００７８】
（第７実施例）
図１３には、第７実施例として、８ターンシングルスター結線とした場合の展開図が示されている。８ターンシングルスター結線の場合、各スロット１５でのスロット内位置は、最も内周側のＬ１から最も外周側のＬ８として設けられる。また、各相で用いられる平角導線としても、４ターンシングルスター結線の場合が４本（Ｕ１〜Ｕ４）であるのに対して、８ターンシングルスター結線では、その２倍の８本（Ｕ１〜Ｕ８）である。
【００７９】
図１３において、最外周側のスロット内位置Ｌ８に入力端を設け、最内周側のスロット内位置Ｌ１に出力端を設けることとすると、外周寄りのスロット内位置Ｌ８，Ｌ７，Ｌ６，Ｌ５に位置する平角導線Ｕ１，Ｕ２，Ｕ３，Ｕ４が通るスロット番号は、図７に示す第１実施例と同じである。また、内周寄りのスロット内位置Ｌ４，Ｌ３，Ｌ２，Ｌ１に位置する平角導線Ｕ５，Ｕ６，Ｕ７，Ｕ８が通るスロット番号も、図７に示す第１実施例と同じである。つまり構造的には、第１実施例の配線構造がスロット１５の外周側と内周側とに２重に設けられることとなる。
【００８０】
そして、外周寄りの部分では、第１実施例と同様、電流が平角導線Ｕ１、Ｕ２、Ｕ４、Ｕ３の順で流れるよう渡り線Ｊ１〜Ｊ３が接続される。さらに、この第７実施例では、平角導線Ｕ３には、「６４」番目に通過するスロット（４４）から出た直後の位置に終端部としての突片部分が設けられ、この平角導線Ｕ３の終端部は、電流が「６５」番目に流れる平角導線Ｕ５の始端部と渡り線Ｊ４で接続される。
【００８１】
以下、電流は「６６」〜「８０」の順番で、各スロット１５のスロット内位置Ｌ３，Ｌ４を通る平角導線Ｕ５に流れた後、平角導線Ｕ５の終端部と平角導線Ｕ６の始端部とを接続する渡り線Ｊ５を介して、「８１」〜「９６」の順番で、各スロット１５の同じくスロット内位置Ｌ３，Ｌ４を通る平角導線Ｕ６に流れる。さらに、電流は渡り線Ｊ６を介して、「９７」〜「１１２」の順番で、各スロット１５のスロット内位置Ｌ１，Ｌ２を通る平角導線Ｕ８に流れた後、渡り線Ｊ７を介して、「１１３」〜「１２８」の順番で、各スロット１５のスロット内位置Ｌ１，Ｌ２を通る平角導線Ｕ７に流れる。平角導線Ｕ７の終端部は出力端として設けられる。
【００８２】
このような第７実施例によれば、分担電圧が大きくなるのは、スロット内位置Ｌ７，Ｌ６の間、およびスロット内位置Ｌ３，Ｌ２の間であり、第１実施例と同様、電流が流れる順番の差は、最も大きくて「４６」である。該当するスロット１５はやはり、スロット（２）およびスロット（４３）である。
【００８３】
本発明の変形例としてはさらに、ターン数と結線形態の好適な組合せとして、平角導線の数（ターン数に相当）を４本、６本、８本、１０本としてシングルスター結線を形成したり、８本、１２本、１６本、２０本としてダブルスター結線を形成したり、１２本、１８本、２４本、３０本としてトリプルスター結線を形成したりしてもよい。
【００８４】
前記実施形態では、８極４８スロット（４８ティース）の回転電機１０について説明したが、これに限定されない。例えば、極数：スロット数＝２ｎ：１２ｎ・・・ｎは自然数、の関係にある回転電機を採用できる。すなわち２極１２スロット、４極２４スロット、６極３６スロット、１０極６０スロット等の回転電機である。
【００８５】
その他、前記実施形態での平角導線Ｕ１，Ｕ２，Ｕ３，Ｕ４はそれぞれ、一本の巻線で構成されていたが、平角導線を２本の巻線あるいは３本の巻線等で構成されていてもよい。
【００８６】
前記実施形態および各実施例では、平角導線Ｕ１に入力端が設けられ、平角導線Ｕ３に出力端が設けられるといて説明したが、平角導線Ｕ４に入力端を設け、平角導線Ｕ２に出力端を設け、平角導線Ｕ４，Ｕ３，Ｕ１、Ｕ２の順番で電流を流してもよい。
また、平角導線Ｕ２、Ｕ１，Ｕ３，Ｕ４の順番で電流を流してもよいし、平角導線Ｕ３、Ｕ４，Ｕ２，Ｕ１の順番で電流を流してもよい。
【産業上の利用可能性】
【００８７】
本発明は、電動機に利用できる他、発電機、あるいはそれらの両方の機能を有する発電電動機として利用することができる。
【符号の説明】
【００８８】
１０…回転電機、１２…ステータコア、１３Ｕ，１３Ｖ，１３Ｗ…コイル、１４…ティース、１５…スロット、Ｊ１，Ｊ２，Ｊ３…渡り線、Ｕ１…平角導線（第１導線）、Ｕ２…平角導線（第２導線）、Ｕ３…平角導線（第３導線）、Ｕ４…平角導線（第４導線）。
【図１】
0006441762.tif 000002
【図２】
0006441762.tif 000003
【図３】
0006441762.tif 000004
【図４】
0006441762.tif 000005
【図５】
0006441762.tif 000006
【図６】
0006441762.tif 000007
【図７】
0006441762.tif 000008
【図８】
0006441762.tif 000009
【図９】
0006441762.tif 000010
【図１０】
0006441762.tif 000011
【図１１】
0006441762.tif 000012
【図１２】
0006441762.tif 000013
【図１３】
0006441762.tif 000014
【図１４】
0006441762.tif 000015
【図１５】
0006441762.tif 000016